【事件の表示】
　特願２００７−１７２８２８「イヤフォン」拒絶査定不服審判事件〔平成２０年　１月２４日出願公開、特開２００８−　１７４７３、請求項の数（３３）〕について、次のとおり審決する。
【結　論】
　原査定を取り消す。
　本願の発明は、特許すべきものとする。
【理　由】
第１　手続の経緯
　
　本願は、平成１９年６月２９日（パリ条約による優先権主張　２００６年６月３０日　米国（ＵＳ））に出願したものであって、手続きの概要は以下のとおりである。
　
　拒絶理由通知　　　　　　　：平成２４年　２月２３日（起案日）
　意見書　　　　　　　　　　：平成２４年　４月１８日
　手続補正　　　　　　　　　：平成２４年　４月１８日
　拒絶査定　　　　　　　　　：平成２４年１２月　４日（起案日）
　拒絶査定不服審判請求　　　：平成２５年　４月１１日
　手続補正　　　　　　　　　：平成２５年　４月１１日
　審尋　　　　　　　　　　　：平成２５年　７月１０日（起案日）
　回答書　　　　　　　　　　：平成２６年　１月１６日
　
第２　平成２５年４月１１日付けの手続補正の適否
　
１．本件補正
　
　平成２５年４月１１日付けの手続補正（以下「本件補正」という。）は、特許請求の範囲についてするもので、本件補正前に、
「　【請求項１】
　装置であって、
　並列の反応性要素と抵抗性要素とを含んだ第１音響チャンバと、
　音響振動子によって前記第１音響チャンバから隔離された第２音響チャンバと、
　装着者の耳の耳甲介から前記装置を支持し、かつ前記装着者の耳の耳孔内に前記第２音響チャンバを伸ばしている延伸部を含むハウジングと、
を含み、前記延伸部には音響ダンパが含まれていることを特徴とする装置。
　　【請求項２】
　前記音響ダンパは前記第２音響チャンバ内で開口部を覆っていることを特徴とする、請求項１に記載の装置。
　　【請求項３】
　前記音響ダンパの一部は穴を形成していることを特徴とする、請求項１に記載の装置。
　　【請求項４】
　前記第２音響チャンバの壁は、該第２音響チャンバを自由空間に連結している穴を形成していることを特徴とする、請求項１に記載の装置。
　　【請求項５】
　前記ハウジングの一部を取り囲み、前記ハウジングを装着者の耳の前記耳甲介および耳孔に接続しているクッションをさらに含んでいることを特徴とする、請求項１に記載の装置。
　　【請求項６】
　前記クッションは、第１の硬さを有する第１の材料で形成された外部領域と、第２の硬さを有する第２の材料で形成された内部領域と、を含んでいることを特徴とする、請求項５に記載の装置。
　　【請求項７】
　前記第１の材料は、ショア硬度Ａスケールで、およそ３〜１２の硬さを有していることを特徴とする、請求項６に記載の装置。
　　【請求項８】
　前記第１の材料は、ショア硬度Ａスケールで、およそ８の硬さを有していることを特徴とする、請求項７に記載の装置。
　　【請求項９】
　前記第２の材料は、ショア硬度Ａスケールで、およそ３０〜９０の硬さを有していることを特徴とする、請求項６に記載の装置。
　　【請求項１０】
　前記第２の材料は、ショア硬度Ａスケールで、およそ４０の硬さを有していることを特徴とする、請求項９に記載の装置。
　　【請求項１１】
　前記クッションの第１領域は前記第２音響チャンバを前記耳孔に接続するための形状に形成され、前記クッションの第２領域は前記耳に前記装置を保持するための形状に形成されて、前記第２領域は前記耳孔内に伸びていないことを特徴とする、請求項５に記載の装置。
　　【請求項１２】
　前記クッションは取り外し可能であることを特徴とする、請求項５に記載の装置。
　　【請求項１３】
　異なったサイズのクッションのセットを含んでいることを特徴とする、請求項１２に記載の装置。
　　【請求項１４】
　前記反応性要素と前記抵抗性要素とは、前記第１音響チャンバに、およそ３０Ｈｚ〜１００Ｈｚの間で共振を生じさせていることを特徴とする、請求項１に記載の装置。
　　【請求項１５】
　前記抵抗性要素は抵抗性ポートを含んでいることを特徴とする、請求項１に記載の装置。
　　【請求項１６】
　前記反応性要素は反応性ポートを含んでいることを特徴とする、請求項１に記載の装置。
　　【請求項１７】
　前記抵抗性要素は抵抗性ポートを含み、かつ前記反応性要素は反応性ポートを含んでいることを特徴とする、請求項１に記載の装置。
　　【請求項１８】
　前記反応性ポートは、前記第１音響チャンバを自由空間に連結しているチューブを含んでいることを特徴とする、請求項１６に記載の装置。
　　【請求項１９】
　前記反応性ポートは約１．０〜約１．５ｍｍの間の直径および約１０〜約２０ｍｍの長さを有していることを特徴とする、請求項１８に記載の装置。
　　【請求項２０】
　前記反応性ポートは約１．２ｍｍの直径を有していることを特徴とする、請求項１８に記載の装置。
　　【請求項２１】
　前記反応性ポートと前記抵抗性ポートとは、径方向に関して略対向した位置で前記第１音響チャンバに連結されていることを特徴とする、請求項１７に記載の装置。
　　【請求項２２】
　前記反応性ポートと前記抵抗性ポートとは、前記第１音響チャンバに露出した振動子の面上の圧力変動を減少するように配置されていることを特徴とする、請求項１７に記載の装置。
　　【請求項２３】
　前記音響振動子の中心の周囲に略均等に分散された複数の反応性または抵抗性ポートをさらに含んでいることを特徴とする、請求項１７に記載の装置。
　　【請求項２４】
　前記音響振動子の中心の周囲に略均等に分散された複数の抵抗性ポートをさらに含み、該抵抗性ポートは前記音響振動子の略中心において前記第１音響チャンバに連結されていることを特徴とする、請求項１５に記載の装置。
　　【請求項２５】
　前記音響振動子の中心の周囲に略均等に分散された複数の反応性ポートをさらに含み、該反応性ポートは前記音響振動子の略中心において前記第１音響チャンバに連結されていることを特徴とする、請求項１６に記載の装置。
　　【請求項２６】
　前記第１音響チャンバは前記音響振動子のバスケットに適合している壁によって形成されていることを特徴とする、請求項１に記載の装置。
　　【請求項２７】
　前記第１音響チャンバは、前記音響振動子によって占められる体積を含み、約０．４ｃｍ３より小さい容積を有していることを特徴とする、請求項１に記載の装置。
　　【請求項２８】
　前記第１音響チャンバは、前記音響振動子によって占められる体積を除いて、約０．２ｃｍ３より小さい容積を有していることを特徴とする、請求項１に記載の装置。
　　【請求項２９】
　前記第２音響チャンバは前記振動子と前記ハウジングとで形成され、
　該ハウジングは第１および第２の穴を形成し、
　該第１の穴は装着者の耳の中に伸びている壁の先端に位置しており、
　かつ前記第２の穴は、前記装置が装着者の耳の中に配置されている場合に、前記第２音響チャンバを自由空間に連結するように配置され、
　音響ダンパは、前記第１の穴を横断して配置され、該第１の穴よりも小さい直径を持った第３の穴を形成していることを特徴とする、請求項１に記載の装置。
　　【請求項３０】
　前記音響振動子に提供された信号の特性を調整するための回路をさらに含んでいることを特徴とする、請求項１に記載の装置。
　　【請求項３１】
　一組の請求項１に記載の装置を含んだイヤフォンセット。
　　【請求項３２】
　受動的な均等化回路を含み、該回路周波数応答は入力音響信号を形成し、前記形成された音響信号は前記音響振動子を駆動していることを特徴とする、請求項１に記載の装置。
　　【請求項３３】
　前記受動的な均等化回路は秒オーダーのフィルタであることを特徴とする、請求項３２に記載の装置。
　　【請求項３４】
　前記受動的な均等化回路はＴブリッジ回路であることを特徴とする、請求項３２に記載の装置。」
とあったところを、
　
本件補正後、
「　【請求項１】
　装置であって、
　並列の反応性要素と抵抗性要素とを含んだ第１音響チャンバと、
　音響振動子によって前記第１音響チャンバから隔離された第２音響チャンバと、
　装着者の耳の耳甲介から前記装置を支持し、かつ前記装着者の耳の耳孔内に前記第２音響チャンバを伸ばしている延伸部を含むハウジングと、
を含み、
　前記延伸部には音響ダンパが含まれ、
　
前記音響ダンパの一部は穴を形成して
　　【請求項２】
　前記音響ダンパは前記第２音響チャンバ内で開口部を覆っていることを特徴とする、請求項１に記載の装置。
　　【請求項３】
　前記第２音響チャンバの壁は、該第２音響チャンバを自由空間に連結している穴を形成していることを特徴とする、請求項１に記載の装置。
　　【請求項４】
　前記ハウジングの一部を取り囲み、前記ハウジングを装着者の耳の前記耳甲介および耳孔に接続しているクッションをさらに含んでいることを特徴とする、請求項１に記載の装置。
　　【請求項５】
　前記クッションは、第１の硬さを有する第１の材料で形成された外部領域と、第２の硬さを有する第２の材料で形成された内部領域と、を含んでいることを特徴とする、請求項
４
　　【請求項６】
　前記第１の材料は、ショア硬度Ａスケールで、およそ３〜１２の硬さを有していることを特徴とする、請求項
５
　　【請求項７】
　前記第１の材料は、ショア硬度Ａスケールで、およそ８の硬さを有していることを特徴とする、請求項
６
　　【請求項８】
　前記第２の材料は、ショア硬度Ａスケールで、およそ３０〜９０の硬さを有していることを特徴とする、請求項
５
　　【請求項９】
　前記第２の材料は、ショア硬度Ａスケールで、およそ４０の硬さを有していることを特徴とする、請求項
８
　　【請求項１０】
　前記クッションの第１領域は前記第２音響チャンバを前記耳孔に接続するための形状に形成され、前記クッションの第２領域は前記耳に前記装置を保持するための形状に形成されて、前記第２領域は前記耳孔内に伸びていないことを特徴とする、請求項
４
　　【請求項１１】
　前記クッションは取り外し可能であることを特徴とする、請求項
４
　　【請求項１２】
　異なったサイズのクッションのセットを含んでいることを特徴とする、請求項
１１
　　【請求項１３】
　前記反応性要素と前記抵抗性要素とは、前記第１音響チャンバに、およそ３０Ｈｚ〜１００Ｈｚの間で共振を生じさせていることを特徴とする、請求項１に記載の装置。
　　【請求項１４】
　前記抵抗性要素は抵抗性ポートを含んでいることを特徴とする、請求項１に記載の装置。
　　【請求項１５】
　前記反応性要素は反応性ポートを含んでいることを特徴とする、請求項１に記載の装置。
　　【請求項１６】
　前記抵抗性要素は抵抗性ポートを含み、かつ前記反応性要素は反応性ポートを含んでいることを特徴とする、請求項１に記載の装置
　　【請求項１７】
　前記反応性ポートは、前記第１音響チャンバを自由空間に連結しているチューブを含んでいることを特徴とする、請求項
１５
　　【請求項１８】
　前記反応性ポートは約１．０〜約１．５ｍｍの間の直径および約１０〜約２０ｍｍの長さを有していることを特徴とする、請求項
１７
　　【請求項１９】
　前記反応性ポートは約１．２ｍｍの直径を有していることを特徴とする、請求項
１７
　　【請求項２０】
　前記反応性ポートと前記抵抗性ポートとは、径方向に関して略対向した位置で前記第１音響チャンバに連結されていることを特徴とする、請求項
１６
　　【請求項２１】
　前記反応性ポートと前記抵抗性ポートとは、前記第１音響チャンバに露出した振動子の面上の圧力変動を減少するように配置されていることを特徴とする、請求項
１６
　　【請求項２２】
　前記音響振動子の中心の周囲に略均等に分散された複数の反応性または抵抗性ポートをさらに含んでいることを特徴とする、請求項
１６
　　【請求項２３】
　前記音響振動子の中心の周囲に略均等に分散された複数の抵抗性ポートをさらに含み、該抵抗性ポートは前記音響振動子の略中心において前記第１音響チャンバに連結されていることを特徴とする、請求項
１４
　　【請求項２４】
　前記音響振動子の中心の周囲に略均等に分散された複数の反応性ポートをさらに含み、該反応性ポートは前記音響振動子の略中心において前記第１音響チャンバに連結されていることを特徴とする、請求項
１５
　　【請求項２５】
　前記第１音響チャンバは前記音響振動子のバスケットに適合している壁によって形成されていることを特徴とする、請求項１に記載の装置。
　　【請求項２６】
　前記第１音響チャンバは、前記音響振動子によって占められる体積を含み、約０．４ｃｍ３より小さい容積を有していることを特徴とする、請求項１に記載の装置。
　　【請求項２７】
　前記第１音響チャンバは、前記音響振動子によって占められる体積を除いて、約０．２ｃｍ３より小さい容積を有していることを特徴とする、請求項１に記載の装置。
　　【請求項２８】
　前記第２音響チャンバは前記振動子と前記ハウジングとで形成され、
　該ハウジングは第１および第２の穴を形成し、
　該第１の穴は装着者の耳の中に伸びている壁の先端に位置しており、
　かつ前記第２の穴は、前記装置が装着者の耳の中に配置されている場合に、前記第２音響チャンバを自由空間に連結するように配置され、
　音響ダンパは、前記第１の穴を横断して配置され、該第１の穴よりも小さい直径を持った第３の穴を形成していることを特徴とする、請求項１に記載の装置。
　　【請求項２９】
　前記音響振動子に提供された信号の特性を調整するための回路をさらに含んでいることを特徴とする、請求項１に記載の装置。
　　【請求項３０】
　一組の請求項１に記載の装置を含んだイヤフォンセット。
　　【請求項３１】
　受動的な均等化回路を含み、該回路周波数応答は入力音響信号を形成し、前記形成された音響信号は前記音響振動子を駆動していることを特徴とする、請求項１に記載の装置。
　　【請求項３２】
　前記受動的な均等化回路は秒オーダーのフィルタであることを特徴とする、請求項
３１
　　【請求項３３】
　前記受動的な均等化回路はＴブリッジ回路であることを特徴とする、請求項
３１
とするものである。
　
　上記本件補正の内容は、補正前の請求項１については、これを削除するものであり、補正前の請求項３については、引用形式で記載された請求項を引用形式ではない記載に改めて補正後の請求項１としたものであって、実質的には補正がなされていないものであり、補正前の請求項２、４ないし３４については、それぞれ、補正前の請求項２、４ないし３４の発明特定事項である「音響ダンパ」（補正前の請求項２、４ないし３４が直接若しくは間接に引用する請求項１の記載）について「音響ダンパの一部は穴を形成している」（補正後の請求項２ないし３３が直接若しくは間接に引用する請求項１の記載）と限定したものである。
　本件補正は、補正前の請求項１については、特許法第１７条の２第５項第１号に掲げる請求項の削除を目的とするものに該当し、補正前の請求項２、４ないし３４については、発明特定事項を限定するものであって、補正前の請求項２、４ないし３４に記載された発明と補正後の請求項２ないし３３に記載された発明の産業上の利用分野及び解決しようとする課題が同一であるから、特許法第１７条の２第５項第２号に掲げる特許請求の範囲の減縮を目的とするものに該当する。
　
　また、特許法第１７条の２第３項、第４項に違反するところはない。
　
　そこで、本件補正後の請求項２ないし３３に係る発明が特許出願の際独立して特許を受けることができるものであるか（特許法第１７条の２第６項において準用する同法第１２６条第７項に規定する要件を満たすか）否かについて、以下検討する。補正後の請求項２ないし３３は、請求項１を直接若しくは間接に引用する請求項であるところ、まず、補正後の請求項１に係る発明（以下「本件補正発明」という。）が特許出願の際独立して特許を受けることができるものであるか否かについて、検討する。
　
２．引用例
　
　原査定の拒絶の理由に引用された特開平１０−６６１８１号公報（平成１０年３月６日公開、以下「引用例１」という。）には、図面と共に、以下の記載がある。（なお、下線は当審で付与した。）
　
「【０００１】
【発明の属する技術分野】この発明は、音質を改善した
イヤホン
【０００２】
【従来の技術】イヤホンは、基本的には図６に示すように構成されている。すなわち、
符号１は、オーディオ信号を音響に変換する電気音響変換素子を示し、これは例えばムービングコイル形に構成され、振動板１１を有する。
【０００３】さらに、
この保護板２の前面は、イヤーピース３で覆われる。このイヤーピース３は、イヤホンの使用時、リスナの耳孔に挿入される部分であり、このため、例えば適度の弾力性を有するプラスチック材により、外耳道の入り口に対応した形状に形成される。
その先端には、放音用の開口（透孔）３１が形成される。
【０００４】また、
素子１の背面は、プラスチック材により形成されたカバー４により覆われる。
カバー４の内部において、素子１の背面には所定の容積の気室４１が形成されるとともに、この気室４１が透孔４２を通じて外部に開放され、素子１の背面に所定の制動抵抗を有する音響回路が構成される。
【０００５】さらに、素子１には、カバー４を通じてイヤホンコード５が接続される。
【０００６】したがって、
イヤーピース３を耳孔へ挿入すれば、素子１の発した音は、イヤーピース３を通じて外耳道へと導かれ、これを聴くことができる。
【０００７】
【発明が解決しようとする課題】ところが、上述のイヤホンの周波数特性を測定すると、例えば図２に曲線Ｘで示すようになり、低音域が過剰で、こもった音になってしまう。
【０００８】これは、音響等価回路によると、次のように説明される。すなわち、
上述のイヤホンにおいては、イヤーピース３により素子１の前面に気室３２が形成されるとともに、この気室３２はほぼ閉じている。
　
　上記摘示事項及び図面の記載から以下のことがいえる。
　
（ａ）引用例１には、「イヤホン」が記載されている（【０００１】）。
　
（ｂ）オーディオ信号を音響に変換する電気音響変換素子１は、例えばムービングコイル形に構成され、振動板１１を有する（【０００２】）。
　
（ｃ）イヤーピース３は、イヤホンの使用時、リスナの耳孔に挿入される部分であり、例えば適度の弾力性を有するプラスチック材により、外耳道の入り口に対応した形状に形成される。そして、その先端には、放音用の開口（透孔）３１が形成される（【０００３】）。
　
（ｄ）電気音響変換素子１の背面は、プラスチック材により形成されたカバー４により覆われる。カバー４の内部において、電気音響変換素子１の背面には所定の容積の気室４１が形成されるとともに、この気室４１が透孔４２を通じて外部に開放される（【０００４】）。
　
（ｅ）イヤーピース３を耳孔へ挿入すれば、電気音響変換素子１の発した音は、イヤーピース３を通じて外耳道へと導かれ、これを聴くことができる（【０００６】）。
　
（ｆ）イヤーピース３により電気音響変換素子１の前面に気室３２が形成される（【０００８】）。
　
　以上を総合勘案すると、引用例１には、次の発明（以下「引用発明」という。）が記載されているものと認める。
　
「イヤホンであって、
　振動板１１を有する電気音響変換素子１と、
　イヤホンの使用時、リスナの耳孔に挿入される部分であり、その先端には、放音用の開口（透孔）３１が形成されるイヤーピース３と、
　電気音響変換素子１の背面を覆うカバー４と、
を含み、
　イヤーピース３により電気音響変換素子１の前面に気室３２が形成され、　カバー４の内部において、電気音響変換素子１の背面には所定の容積の気室４１が形成されるとともに、この気室４１が透孔４２を通じて外部に開放されるイヤホン。」
　
３．対比
　
　そこで、本件補正発明と引用発明とを対比する。
　
（１）装置
　引用発明の「イヤホン」は、「装置」といえる。
　
（２）第１音響チャンバ
　引用発明の、カバー４の内部において、電気音響変換素子１の背面に形成される所定の容積の気室４１は、本件補正発明でいう「第１音響チャンバ」といえる。
　本件補正発明の「反応性要素」は、明細書【０００７】の記載に照らせば、反応性ポートを含んでおり、反応性ポートは「第１音響チャンバ」を自由空間に連結しているチューブを含んでいると解せられるところ、引用発明の「透孔４２」も気室４１を外部に開放するものであるから、「反応性要素」といえる。
　したがって、本件補正発明と引用発明とは、「反応性要素を含んだ第１音響チャンバ」を含む点で一致する。
　もっとも、本件補正発明と引用発明とは、「第１音響チャンバ」について、本件補正発明は、反応性要素と並列に抵抗性要素を含むのに対し、引用発明は、反応性要素と並列に抵抗性要素を含まない点で相違する。
　
（３）第２音響チャンバ
　引用発明の、振動板１１を有する電気音響変換素子１は、「音響振動子」といえる。引用発明の、イヤーピース３により電気音響変換素子１の前面に形成される気室３２は、本件補正発明でいう「第２音響チャンバ」といえる。引用発明において、電気音響変換素子１は、気室４１から気室３２を隔離している。
　したがって、本件補正発明と引用発明とは、「音響振動子によって前記第１音響チャンバから隔離された第２音響チャンバ」を含む点で一致する。
　
（４）ハウジング
　引用発明のイヤーピース３及びカバー４は、リスナの耳甲介にイヤホンを支持する「ハウジング」といえる。引用発明のイヤーピース３は、イヤホンの使用時、リスナの耳孔に挿入される部分であるから、イヤーピース３により電気音響変換素子１の前面に形成される気室３２は、リスナの耳孔内に伸ばされている。
　したがって、本件補正発明と引用発明とは、「装着者の耳の耳甲介から前記装置を支持し、かつ前記装着者の耳の耳孔内に前記第２音響チャンバを伸ばしている延伸部を含むハウジング」を含む点で一致する。
　
（５）音響ダンパ
　本件補正発明と引用発明とは、本件補正発明が、「前記延伸部には音響ダンパが含まれ、前記音響ダンパの一部は穴を形成している」のに対し、引用発明は、イヤーピース３の、イヤホンの使用時、リスナの耳孔に挿入される部分に、音響ダンパといえるものを含まない点で相違する。
　
　そうすると、本件補正発明と引用発明とは、次の点で一致する。
　
＜一致点＞
　
「装置であって、
　反応性要素を含んだ第１音響チャンバと、
　音響振動子によって前記第１音響チャンバから隔離された第２音響チャンバと、
　装着者の耳の耳甲介から前記装置を支持し、かつ前記装着者の耳の耳孔内に前記第２音響チャンバを伸ばしている延伸部を含むハウジングと、
を含みんでいる装置。」の点。
　
　そして、次の点で相違する。
　
＜相違点＞
　
（１）「第１音響チャンバ」について、本件補正発明は、反応性要素と並列に抵抗性要素を含むのに対し、引用発明は、反応性要素と並列に抵抗性要素を含まない点。
　
（２）本件補正発明が、「前記延伸部には音響ダンパが含まれ、前記音響ダンパの一部は穴を形成している」のに対し、引用発明は、イヤーピース３の、イヤホンの使用時、リスナの耳孔に挿入される部分に、音響ダンパといえるものを含まない点。
　
４．判断
　
　そこで、上記相違点（２）について検討する。
　
　原査定の拒絶の理由に引用された特開２００５−２６０８２４号公報（以下「引用例５」という。）には、イヤホンチューブ７内に設けられた音響ダンパ８が記載され、同じく特開２００３−１４３６８４号公報（以下「引用例６」という。）には、音道管１６に設けられる音響フィルタ３２が記載されている。
　しかしながら、引用例５、６のいずれにも、音響ダンパないし音響フィルタの一部が穴を形成していることは記載されていない。
　したがって、引用発明に、引用例５、６に記載された音響ダンパないし音響フィルタを適用しても、相違点（２）を克服することはできない。
　
　また、原査定の拒絶の理由に引用された特開平８−１７２６９１号公報（以下「引用例２」という。）には、背部気室１４に低音補償用パイプ１５と並列に設けられた開口１１及び音響抵抗体１２が記載され、同じく特開平７−１７０５９１号公報（以下「引用例３」という。）には、筐体２０の後部空間にダクト部１８と並列に設けられた透孔２６及び制動板２７が記載され、同じく特開平１１−３０８６８５号公報（以下「引用例４」という。）には、後側空洞１４にポート１６と並列に設けられた音響的抵抗開口１７が記載されている。
　しかしながら、引用例２ないし４は、相違点（１）について引用されたものであって、相違点（２）について引用されたものではなく、引用例２ないし４のいずれにも、イヤホンの使用時、リスナの耳孔に挿入される部分に、音響ダンパを設けることは記載されていない。
　したがって、引用発明に、引用例２ないし４に記載された構成を適用しても、相違点（２）を克服することはできない。
　
　また、前置報告に引用された特開平３−３２１９９号公報（以下「引用例７」という。）には、耳介装着部３の先端付近に設けられた開口部としての小孔７が記載され、同じく特開昭６０−２２４３９６号公報（以下「引用例８」という。）には、穴２０、２１を設けた前面音響抵抗板１０が記載されている。
　しかしながら、引用例７に記載された、開口部としての小孔７が設けられた耳介装着部３の先端付近、引用例８に記載された、穴２０、２１を設けた前面音響抵抗板１０は、いずれも、音響ダンパといえるものではなく、小孔７、穴２０、２１は、いずれも、音響ダンパの一部に形成した穴といえるものではない。
　したがって、引用発明に、引用例７、８に記載された構成を適用しても、相違点（２）を克服することはできない。
　
　ましてや、相違点（１）、（２）をともに克服することが、当業者が容易に想到し得ることであるとはいえない。
　
　したがって、本件補正発明は、引用例１に記載された発明及び引用例２ないし８に記載された構成に基づいて、当業者が容易に発明をすることができたとはいえない。
　
　補正後の請求項２ないし３３は、請求項１を直接若しくは間接に引用する請求項であるから、補正後の請求項２ないし３３に係る発明も、本件補正発明と同様に、引用例１に記載された発明及び引用例２ないし８に記載された構成に基づいて、当業者が容易に発明をすることができたとはいえない。
　
　よって、補正後の請求項２ないし３３についてする補正は、特許法第１７条の２第６項において準用する同法第１２６条第７項に規定する要件を満たす。
　
５．本件補正についてのむすび
　
　以上のとおり、本件補正は、特許法第１７条の２第３項ないし第６項に規定する要件を満たす。
　
第３　本願発明について
　
　本件補正は上記のとおり、特許法第１７条の２第３項ないし第６項に規定する要件を満たすから、本願の請求項１ないし３３に係る発明は、本件補正により補正された特許請求の範囲の請求項１ないし３３に記載された事項により特定されるとおりのものである。
　
　そして、本願の請求項１に係る発明は、上記のとおり、引用例１に記載された発明及び引用例２ないし８に記載された構成に基づいて、当業者が容易に発明をすることができたとはいえない。
　また、本願の請求項２ないし３３は、請求項１を直接若しくは間接に引用する請求項であるから、請求項２ないし３３に係る発明も、請求項１に係る発明と同様に、引用例１に記載された発明及び引用例２ないし８に記載された構成に基づいて、当業者が容易に発明をすることができたとはいえない。
　したがって、本願については、原査定の拒絶理由によっては拒絶すべきものとすることはできない。
　また、他に本願を拒絶すべき理由を発見しない。
　
　よって、結論のとおり審決する。